(57)【特許請求の範囲】
【請求項１】
複数枚の屋根パネルを並列配置して構成される建物の屋根構造であって、
隣合う少なくとも２つの前記屋根パネルにわたって採光用の開口部が形成され、
前記開口部には、建物のトップライトが設けられ、
前記各屋根パネルは、枠体と当該枠体の表面に張付けられた屋根面材とを含み構成され、前記開口部は、隣合う前記屋根パネルの対向する外部構成部材の一部を切欠くとともに、この外部構成部材の切欠き部に臨む各端部に、前記枠体の内側に延びかつ内部構成部材に接続される心材が設けられ、これら心材および内部構成部材で囲まれた空間で形成され、
隣合う前記屋根パネルは、隣合う当該屋根パネルに跨る接合部材で接合され、前記接合部材は、隣合う前記屋根パネル各々の前記外部構成部材と前記心材とに固定されていることを特徴とする建物の屋根構造。
【請求項２】
複数枚の屋根パネルを並列配置して屋根を構成する建物の屋根施工方法であって、
前記各屋根パネルは、枠体と当該枠体の表面に張付けられた屋根面材とを含み構成され、前記屋根パネルのうち少なくとも２つの屋根パネルには、前記枠体の一部に切欠き部が形成されるとともに、この枠体の切欠き部に臨む各端部に、前記枠体の内側に延びかつ内部構成部材に接続される心材が設けられており、
現場において、前記切欠き部を対向させるように隣り合わせて設け、前記各切欠き部により２つの屋根パネルにわたる採光用開口部を形成するとともに、隣り合う前記屋根パネル各々の前記外部構成部材と前記心材とに接合部材を固定することで隣り合う屋根パネル同士を接合し、その後、前記採光用開口部に建物のトップライトを設けることを特徴とする建物の屋根施工方法。
【請求項３】
請求項２に記載の建物の屋根施工方法において、
前記切欠き部には当該切欠き部の変形を防止する仮梁が設けられ、この仮梁は、現場において２つの屋根パネルを隣り合わせて設けた後取り外し、その後、隣り合う屋根パネル同士を接合部材により接合することを特徴とする建物の屋根施工方法。
【発明の詳細な説明】
【０００１】
【発明の属する技術分野】
本発明は、建物の屋根構造および屋根施工方法に関する。
【０００２】
【背景技術】
従来、住宅等の建物として、柱や壁、屋根等の部材を予め工場で生産し、現場で組立てるプレハブ式建物が普及している。
このようなプレハブ式建物としては、例えば、軽量鉄骨を主材として鉄骨フレームを形成した箱形の建物ユニットを、現場で積層する箱形ユニット方式、あるいは、木材・集成材を骨組みとし、合板パネル等を用いて床、天井および壁面等を形成した木質パネルを、建設現場で組立てて建てる木質パネル方式などが多用されている。
このようなプレハブ式建物の屋根は、所定幅に形成された複数枚の屋根パネルを順次並べることにより構成されることが多い。そして、屋根パネルは、例えば、四角形の枠体の表面に屋根面材を張付けて形成されている。
また、建物の屋根に、採光部としてトップライト等を設けることがある。この場合、トップライト等は強固に取付ける必要があるので、１枚の屋根パネル内に収められて取付けられている。
【０００３】
【発明が解決しようとする課題】
ところで、屋根パネルの幅や大きさは規定寸法に基づいて製作されており、それらが順次並設されて屋根が構成される。このとき、屋根パネルの配置は、屋根の下方の部屋割りと関係なく並設されている。
しかし、屋根に前述のようなトップライト等の採光部を設ける場合、１枚の屋根パネルにトップライト等が設けられているため、屋根の下方の部屋割りが制約されるという問題が生じる。
すなわち、屋根パネルのトップライトの位置が決まっているため、屋根の下方の部屋をそのトップライトの位置に対応させなければならず、その結果、プランニングの自由度が制約される。
【０００４】
本発明の目的は、プランニングの自由度を向上させることができるようになる建物の屋根構造および屋根施工方法を提供することにある。
【０００５】
【課題を解決するための手段】
請求項１に記載の発明は、図面を参照して説明すると、図１〜３に示すように、複数枚の屋根パネル１０，１０Ａを並列配置して構成される建物の屋根構造であって、隣合う少なくとも２つの前記屋根パネル１０Ａにわたって採光用の開口部２０Ａが形成され、前記開口部２０Ａには、建物のトップライト２０が設けられ、前記各屋根パネル１０Ａは、枠体１１と当該枠体１１の表面に張付けられた屋根面材１２とを含み構成され、前記開口部２０Ａは、隣合う前記屋根パネル１０Ａの対向する外部構成部材１３Ａの一部を切欠くとともに、この外部構成部材１３Ａの切欠き部１７に臨む各端部に、前記枠体１１の内側に延びかつ内部構成部材１４に接続される心材１６が設けられ、これら心材１６および内部構成部材１４で囲まれた空間で形成され、隣合う前記屋根パネル１０Ａは、隣合う当該屋根パネル１０Ａに跨る接合部材１９で接合され、前記接合部材１９は、隣合う前記屋根パネル１０Ａ各々の前記外部構成部材１３Ａと前記心材１６とに固定されていることを特徴とする建物の屋根構造である。
【０００６】
このような本発明では、隣合う少なくとも２つの屋根パネルにわたって形成された開口部が採光用として使用されるので、その開口部にトップライト等を設けることができる。その結果、屋根の任意の位置にトップライト等を設けることができるので、屋根下方の部屋割りを自由に決定することができ、プランニングの自由度が向上する。
また、２つの屋根パネルにわたってトップライト等が設けられるので、屋根下方の部屋割りを自由に決定することができ、プランニングの自由度が向上する。
さらに、切欠き部が、対向する心材と内部構成部材とで囲まれた空間で形成されているが、切欠き部の周囲が心材と内部構成部材とで枠状になっているので、強度が強く、これにより、トップライト等用の下地枠とすることができる。従って、トップライト等を容易に取付けることができる。
【０００７】
以上の本発明において、隣合う２つの屋根パネルは、建物の妻方向に隣合う場合に限らず、建物の桁方向に複数枚並設される屋根パネルを有する場合には、桁方向に隣合う２つの屋根パネルでもよい。さらに、隣合う２つの屋根パネルにわたる開口部の位置は、屋根パネルの上側、下側、中央部等どこでもよく、大きさも取付けられるトップライト等に合わせて自由に形成してよい。また、開口部の隣合う２つの屋根パネルに占める割合は限定されず、部屋に対応して決めればよい。また、このような屋根構造が適用される建物は、例えば、予め工場で生産した柱、梁を有する軸組構造の複数の建物ユニットを現場で組合わせて建てるユニット式建物、木質パネル等を組み合わせて建てるパネル工法の建物等、屋根パネルを用いるものであれば、どのような建物であってもよい。
【０００８】
請求項２に記載の発明は、図１，３に示すように、複数枚の屋根パネル１０を並列配置して屋根を構成する建物の屋根施工方法であって、前記各屋根パネル１０は、枠体１１と当該枠体１１の表面に張付けられた屋根面材１２とを含み構成され、前記屋根パネル１０のうち少なくとも２つの屋根パネル１０Ａには、前記枠体１１の一部に切欠き部１７が形成されるとともに、この枠体１１の切欠き部１７に臨む各端部に、前記枠体１１の内側に延びかつ内部構成部材１４に接続される心材１６が設けられており、現場において、前記切欠き部１７を対向させるように隣り合わせて設け、前記各切欠き部１７により２つの屋根パネル１０Ａにわたる採光用開口部２０Ａを形成するとともに、隣合う前記屋根パネル１０Ａ各々の前記外部構成部材１３Ａと前記心材１６とに接合部材１９を固定することで隣り合う屋根パネル１０Ａ同士を接合し、その後、前記採光用開口部２０Ａに建物のトップライト２０を設けることを特徴とする建物の屋根施工方法である。
【０００９】
このような本発明では、枠体の一部に切欠き部を形成した屋根パネルを、切欠き部同士を対向させて接合すれば、２つの屋根パネルにわたる開口部を形成することができるので、トップライト用の開口部を容易に形成することができる。
【００１０】
請求項３に記載の発明は、図２に示すように、請求項２に記載の建物の屋根施工方法において、前記切欠き部１７には当該切欠き部１７の変形を防止する仮梁１８が設けられ、この仮梁１８は、現場において２つの屋根パネル１０Ａを隣り合わせて設けた後取り外し、その後、隣り合う屋根パネル１０Ａ同士を接合部材１９により接合することを特徴とするものである。
【００１１】
このような本発明では、切欠き部に仮梁が設けられ、この仮梁が補強となるので、屋根パネルの輸送時等に切欠き部が変形することがなく、その結果、２つの屋根パネルを接合するとき、切欠き部同士をスムーズに一致させることができ、接合が容易となる。
【００１２】
【発明の実施の形態】
以下に、本発明の一実施形態を図面に基づいて説明する。
図１には、ユニット式建物１が示されている。このユニット式建物１は、複数の下階建物ユニット２、これらの下階建物ユニット２の上に載置される複数の上階建物ユニット３、および上階建物ユニット３の上方に設けられる屋根４とを組合わせて建てられている。
【００１３】
各建物ユニット２，３は、図示しないが、四隅に立設される４本の柱と、これらの柱の上端間同士および下端間同士を連結する各４本の上梁、下梁を有する骨組みを備え、このような骨組みに外壁や内壁が取付けられ、このような建物ユニットは、予め工場で製作される。
屋根４は、枠体に屋根面材を張付けて形成された複数枚の屋根パネル１０を並設して構成され、この屋根パネル１０も予め工場で製作される。
【００１４】
このようなユニット式建物１の屋根４には、採光部であるトップライト２０が設けられている。このトップライト２０は、建物の軒側に近い位置で、２枚の屋根パネル１０Ａ，１０Ａにわたって設けられている。
【００１５】
図２に示すように、屋根パネル１０Ａは、枠体であるパネル枠１１と、このパネル枠１１の表面に張付けられる屋根面材１２とを含んで構成されている。パネル枠１１は、外部構造材である外枠１３に、複数本の内部構造材である縦桟１４と横桟１５とを架けわたして形成され、外枠１３は、縦部材１３Ａと横部材１３Ｂとで構成されている。これらの縦部材１３Ａと横部材１３Ｂとは、例えば軽量の舌付溝形鋼で形成され、縦桟１４、横桟１５も縦部材１３Ａ等と同じ部材あるいは断面四角形状の木材等で形成されている。
【００１６】
隣合う２つの屋根パネル１０Ａ，１０Ａにおけるパネル枠１１の対向する側面、かつ、建物の棟寄りには、それぞれ切欠き部１７が形成されている。
この切欠き部１７は、図１に示すように、外枠１３の縦部材１３Ａの一部区間を切断し、この縦部材１３Ａの切欠き部１７に臨む各端部に、パネル枠１１の内側に延びかつ縦桟１４に接続される心材１６と、これら心材１６および縦桟１４で囲まれた空間とで形成されている。そして、２つの屋根パネル１０Ａ，１０Ａ同士が並設されるとき、互いに対向する切欠き部１７，１５により、前記トップライト２０用の開口部２０Ａが形成されるようになっている。
なお、上記心材１６は、縦部材１３Ａと横部材１３Ｂ等と同じ部材で形成されている。また、このような屋根パネル１０Ａに張付けられる屋根面材１２も切欠き部１７に合わせて切取られている。
【００１７】
このような屋根パネル１０Ａの切欠き部１７には、輸送時の切欠き部１７の変形を防止するために、図２に仮想線で示すように、切断された縦部材１３Ａの端部間に仮梁１８が架けわたされている。この仮梁１８は、建設現場において２つの屋根パネル１０Ａ，１０Ａを束や屋根パネル支持具等に支持させて取付けた後、取外されるようになっている。
【００１８】
仮梁１８が取外された２つの屋根パネル１０Ａ，１０Ａ同士は、図３に示すように、互いの切欠き部１７の端部間に架けわたされた接合部材１９で接合され、一体化される。接合部材１９は、例えば四角形状の２枚のプレート部材で形成され、２つの屋根パネル１０Ａ，１０Ａの端部同士を挟み込むとともに、ボルト止めして接合するように形成されている。そして、２つの屋根パネル１０Ａ，１０Ａが接合されたとき、それぞれの切欠き部１７で、トップライト用の開口部２０Ａが形成され、また、それぞれの心材１６、縦桟１４の一部、接合部材１９等で、トップライト取付け用の下地枠２３が構成されている。
なお、前記屋根パネル１０は、屋根パネル１０Ａの切欠き部１７を形成しない場合と同じ構造である。
【００１９】
次に、以上のような屋根パネル１０および屋根パネル１０Ａ，１０Ａを用いて建物の屋根４を施工する方法を説明する。
予め工場で生産された複数の下階および上階建物ユニット２，３、屋根パネル１０、１０Ａ等をトラックで建設現場に搬送する。この際、トップライト２０が取付けられる２つの屋根パネル１０Ａ，１０Ａのそれぞれの切欠き部１７には、仮梁１８を取付けておく。
基礎上に下階建物ユニット２を順次載置、固定するとともに、隣り合う建物ユニット２同士を連結し、下階建物ユニット２の上に上階建物ユニット３を載置するとともに互いを連結し、また、上階建物ユニット３同士を連結プレートにより連結する。
【００２０】
その後、上階建物ユニット３に、屋根パネル１０を順次、載置・固定する。
この際、トップライトが取付けられる２つの屋根パネル１０Ａ，１０Ａは、それぞれ所定位置に配置された後、それぞれの切欠き部１７に架けわたされた仮梁１８を取外す。
【００２１】
次いで、隣合う屋根パネル１０Ａ，１０Ａの互いの切欠き部１７に臨む端部間に接合部材１９を架けわたし、両屋根パネル１０Ａ，１０Ａを接合する。そして、隣合う屋根パネル１０の互いの切欠き部１７で形成された開口部２０Ａに、所定のトップライト２０を取付ける。
【００２２】
このような実施形態によれば、次のような効果がある。
(1) 隣合う２つの屋根パネル１０Ａ，１０Ａにわたって開口部２０Ａが形成され、この開口部２０Ａにトップライト２０が設けられるので、屋根の任意の位置にトップライト等を設けることができるようになり、その結果、屋根下方の部屋割りを自由に決定することができ、プランニングの自由度が向上する。
【００２３】
(2) 切欠き部１７が、対向する心材１６と縦桟１４の一部とで囲まれた空間で形成されているが、２つの屋根パネル１０Ａ，１０Ａを接合部材１９で接合したとき、切欠き部１７の周囲が心材１６、縦桟１４の一部および接合部材１９とで枠状になっているので、強度が強く、トップライト等用の下地枠２３とすることができる。従って、トップライト２０等を容易に取付けることができる。
【００２４】
(3) 切欠き部１７において、切断された縦部材１３Ａの端部間には、２つの屋根パネル１０Ａ，１０Ａを組立てるまで、仮梁１８が架けわたされているので、輸送時の切欠き部１７の変形を防止することができるとともに、２つの屋根パネル１０Ａ，１０Ａを接合するとき、切欠き部１７同士をスムーズに一致させることができ、両パネル１０Ａ，１０Ａの接合が容易となる。
【００２５】
(4) 切欠き部１７が形成された２つの屋根パネル１０Ａ，１０Ａを、現場において、切欠き部１７同士を対向させて接合するだけで、トップライト２０用の開口部２０Ａを形成することができるので、開口部２０Ａの形成が容易である。
【００２６】
なお、本発明は前記実施形態に限定されるものではなく、本発明の目的を達成できるものであれば、次のような変形形態でもよいものである。
例えば、前記実施形態では、トップライト２０は、屋根４の１箇所に設けられているが、これに限らず、このトップライト２０の他に複数箇所に設けてもよい。
【００２７】
また、前記実施形態では、予め工場で生産された複数の建物ユニット２，３等を建設現場で組合わせて建てられるユニット式建物１としたが、本発明の屋根構造等は、木質パネルを組み合わせて建てられるパネル工法の建物等にも適用できるものである。
【００２８】
さらに、前記実施形態では、トップライト２０を設けるための開口部２０Ａは、建物の妻方向、つまり横方向に隣り合う屋根パネル１０Ａ，１０Ａにわたって形成されているが、これに限らない。例えば、屋根パネルが建物の桁方向にも複数枚並設されるような屋根の場合、桁方向に隣り合う屋根パネル間にわたる開口部を形成してもよい。また、開口部２０Ａは、屋根パネル１０Ａ，１０Ａの棟側寄りに形成されているが、その位置は軒側寄り、あるいは中央部でもよい。
【００２９】
【発明の効果】
以上に説明したように、請求項１の発明によれば、隣合う少なくとも２つの屋根パネルにわたって形成された開口部が採光用として使用されるので、その開口部にトップライト等を設けることができる。その結果、屋根の任意の位置にトップライト等を設けることができるので、屋根下方の部屋割りを自由に決定することができ、プランニングの自由度が向上する。
また、２つの屋根パネルにわたってトップライト等が設けられるので、屋根下方の部屋割りを自由に決定することができ、プランニングの自由度が向上する。
さらに、切欠き部が、対向する心材と内部構成部材とで囲まれた空間で形成されているが、切欠き部の周囲が心材と内部構成部材とで枠状になっているので、強度が強く、これにより、トップライト等用の下地枠とすることができる。従って、トップライト等を容易に取付けることができる。
【図面の簡単な説明】
【図１】  本発明に係る一実施形態のユニット式建物を示す全体斜視図である。
【図２】  前記実施形態の隣り合う屋根パネルを示す正面図である。
【図３】  前記実施形態の隣り合う屋根パネルを接合した状態を示す部分図である。
【符号の説明】
１    ユニット式建物
４    屋根
１０    屋根パネル
１０Ａ  切欠き部を有する屋根パネル
１１    枠体であるパネル枠
１２    屋根面材
１３    外部構成部材である外枠
１４    内部構成部材である縦桟
１６    心材
１７    開口部を形成する切欠き部
１８    仮梁
１９    接合部材
２０    トップライト
【図１】
0004340402.tif 000002
【図２】
0004340402.tif 000003
【図３】
0004340402.tif 000004